【事件の表示】
　特許第６２１４７２９号発明「スカーフィング装置」の特許異議申立事件について、次のとおり決定する。
【結　論】
　特許第６２１４７２９号の特許請求の範囲を訂正請求書に添付された訂正特許請求の範囲のとおり、訂正後の請求項〔１、６−７、９−１０〕、２、〔３−４〕、５、８について訂正することを認める。
　特許第６２１４７２９号の請求項３−５、８に係る特許を維持する。
　特許第６２１４７２９号の請求項１−２、６−７、９−１０に係る特許についての特許異議の申立てを却下する。
【理　由】
１．手続の経緯
　特許第６２１４７２９号の請求項１−１０に係る特許についての出願は、平成２８年６月２８日（パリ条約による優先権主張　２０１５年（平成２７年）６月３０日　大韓民国（ＫＲ））に出願され、平成２９年９月２９日にその特許権の設定登録がされ、同年１０月１８日に特許掲載公報が発行された。その後、本件特許に対して１件の特許異議の申立てがあり、次のとおりに手続が行われた。
　平成３０年　４月１８日　　：特許異議申立人新日鐵住金株式会社（以下「特許異議申立人」という）による請求項１−１０に係る特許に対する特許異議の申立て
　　同　　年　７月１０日付け：取消理由通知書
　　同　　年１０月１０日　　：特許権者による意見書及び訂正請求書の提出
　　同　　年１０月１９日　　：特許権者と合議体との面接
　　同　　年１０月３０日付け：取消理由通知書（決定の予告）
　平成３１年　１月２１日　　：特許権者による意見書及び訂正請求書の提出
　なお、上記平成３０年１０月１０日にされた訂正の請求は、特許法第１２０条の５第７項の規定により、取り下げられたものとみなす。
　また、上記平成３０年１０月１０日及び平成３１年１月２１日の訂正請求による訂正が、両者とも実質的に一部の請求項の削除のみであったため、特許法第１２０条の５第５項ただし書に規定する特別の事情にあたると合議体は判断し、特許異議申立人に意見書を提出する機会を与えていない。
２．訂正の適否
（１）訂正の内容
　平成３１年１月２１日の訂正請求による訂正事項（以下「本件訂正」という）は、以下のとおりである（下線部は訂正箇所を示す）。
ア　訂正事項１
　特許請求の範囲の請求項１、２、６、７、９、１０を削除する。
イ　訂正事項２
　特許請求の範囲の請求項３について、請求項２との引用関係を解消し、以下の事項により特定されるとおりに訂正する。
「【請求項３】
　
スラブの進行経路上に提供される装置ボディと、
　
前記装置ボディに結合され、前記スラブの上下面のうち少なくとも一面に酸素を噴射して面スカーフィングするように備えられる上下面処理ユニットと、
　
前記装置ボディに結合され、前記スラブの両側面のうち少なくとも一面に酸素を噴射して面スカーフィングするように備えられる側面処理ユニットと、
　
を含み、
　
前記上下面処理ユニット及び側面処理ユニットのうち少なくとも１つは、前記スラブの角に集中するように酸素を噴射して前記スラブの角をスカーフィングするように備えられ、
　
前記上下面処理ユニットは、
　
前記装置ボディの上部又は下部に結合され、内部に中空が形成された上下面部材と、
　
前記上下面部材の中央部に連結される低圧ガスラインと、
　
前記上下面部材の両端部に連結される高圧ガスラインと、
　
前記上下面部材の内部中空を、前記上下面部材の中央部及び両端部に区分されるセクターで隔離させ、隔離された間隔を調整するように備えられる稼働隔離部材と、
　
を含み、
　
前記側面処理ユニットは、
　
前記装置ボディに結合される側面部材と、
　
前記側面部材の中央部に形成される側面中央ホールと、
　
前記側面部材の両端部に位置し、前記側面中央ホールよりも高圧の酸素を噴射するように備えられる側面エッジホールと、
　
を含み、
　前記側面エッジホールは、前記側面部材の中央部から両端部方向に行くにつれてホールの大きさが大きくなる形状に形成されたことを特徴とする
、ス
ウ　訂正事項３
　特許請求の範囲の請求項５について、請求項２との引用関係を解消し、以下の事項により特定されるとおりに訂正する。
「【請求項５】
　
スラブの進行経路上に提供される装置ボディと、
　
前記装置ボディに結合され、前記スラブの上下面のうち少なくとも一面に酸素を噴射して面スカーフィングするように備えられる上下面処理ユニットと、
　
前記装置ボディに結合され、前記スラブの両側面のうち少なくとも一面に酸素を噴射して面スカーフィングするように備えられる側面処理ユニットと、
　
を含み、
　
前記上下面処理ユニット及び側面処理ユニットのうち少なくとも１つは、前記スラブの角に集中するように酸素を噴射して前記スラブの角をスカーフィングするように備えられ、
　
前記上下面処理ユニットは、
　
前記装置ボディの上部又は下部に結合され、内部に中空が形成された上下面部材と、
　
前記上下面部材の中央部に連結される低圧ガスラインと、
　
前記上下面部材の両端部に連結される高圧ガスラインと、
　
前記上下面部材の内部中空を、前記上下面部材の中央部及び両端部に区分されるセクターで隔離させ、隔離された間隔を調整するように備えられる稼働隔離部材と、
　
を含み、
　
前記側面処理ユニットは、
　
前記装置ボディに結合される側面部材と、
　
前記側面部材の中央部に形成される側面中央ホールと、
　
前記側面部材の両端部に位置し、前記側面中央ホールよりも高圧の酸素を噴射するように備えられる側面エッジホールと、
　
を含み、
　前記側面処理ユニットは、
　前記側面部材の両端部に結合される補助ノズル部材をさらに含む
、ス
エ　訂正事項４
　特許請求の範囲の請求項８について、請求項１との引用関係を解消し、以下の事項により特定されるとおりに訂正する。
「【請求項８】
　
スラブの進行経路上に提供される装置ボディと、
　
前記装置ボディに結合され、前記スラブの上下面のうち少なくとも一面に酸素を噴射して面スカーフィングするように備えられる上下面処理ユニットと、
　
前記装置ボディに結合され、前記スラブの両側面のうち少なくとも一面に酸素を噴射して面スカーフィングするように備えられる側面処理ユニットと、
　
を含み、
　
前記上下面処理ユニット及び側面処理ユニットのうち少なくとも１つは、前記スラブの角に集中するように酸素を噴射して前記スラブの角をスカーフィングするように備えられ、
　
前記上下面処理ユニットは、
　
前記装置ボディの上部又は下部に結合され、内部に中空が形成された上下面部材と、
　
前記上下面部材の中央部に連結される低圧ガスラインと、
　
前記上下面部材の両端部に連結される高圧ガスラインと、
　
前記上下面部材の内部中空を、前記上下面部材の中央部及び両端部に区分されるセクターで隔離させ、隔離された間隔を調整するように備えられる稼働隔離部材と、
　
を含み、
　前記上下面処理ユニットは、
　前記装置ボディの上部又は下部に結合される上下面部材と、
　前記上下面部材の中央部に形成される上下面中央ホールと、
　前記上下面部材の両端部に位置し、外側に行くにつれてホールの大きさが大きくなる形状に形成され、前記上下面中央ホールよりも高圧の酸素を噴射するように備えられる上下面エッジホールと、
　を含む
、ス
　訂正前の請求項１−１０は、請求項２−１０が、訂正の請求の対象である請求項１の記載を直接又は間接的に引用する関係にあるから、本件訂正は、一群の請求項１−１０について請求されている。
　また、特許権者は、訂正後の請求項２、８に係る訂正について、当該訂正が認められるときに請求項１とは別の訂正単位として扱われることを求めており、さらに、訂正後の請求項３、５に係る訂正について、当該訂正が認められるときに請求項２とは別の訂正単位として扱われることを求めている。
（２）訂正の目的の適否、新規事項の有無、特許請求の範囲の拡張・変更の存否
ア　訂正事項１について
　訂正事項１は、請求項１、２、６、７、９、１０を削除するものであるから、特許請求の範囲の減縮を目的とし、新規事項の追加に該当せず、実質上特許請求の範囲を拡張し、又は変更するものではない。
イ　訂正事項２について
　訂正事項２に係る請求項３についての訂正は、特許請求の範囲の請求項３について請求項２との引用関係を解消するものであるから、引用関係の解消を目的としており、新規事項の追加に該当せず、実質上特許請求の範囲を拡張し、又は変更するものでもない。
ウ　訂正事項３について
　訂正事項３に係る請求項５についての訂正は、特許請求の範囲の請求項５について請求項２との引用関係を解消するものであるから、引用関係の解消を目的としており、新規事項の追加に該当せず、実質上特許請求の範囲を拡張し、又は変更するものでもない。
エ　訂正事項４について
　訂正事項４に係る請求項８についての訂正は、特許請求の範囲の請求項８について請求項１との引用関係を解消するものであるから、引用関係の解消を目的としており、新規事項の追加に該当せず、実質上特許請求の範囲を拡張し、又は変更するものでもない。
（３）小括
　上記のとおり、訂正事項１ないし４に係る訂正は、特許法第１２０条の５第２項ただし書第１号又は第４号に掲げる事項を目的とするものであり、かつ、同条第９項で準用する同法第１２６条第５項及び第６項の規定に適合する。
　したがって、訂正後の請求項〔１、６−７、９−１０〕、２、〔３−４〕、５、８について訂正を認める。
３．取消理由の概要
　訂正前の請求項１−１０に係る特許に対して、当審が特許権者に通知した平成３０年７月１０日付け取消理由の要旨は、次のとおりである。
（１）請求項１、２、６、７、９、１０に係る発明は、甲第１号証に記載された発明及び甲第２、８、９号証に記載された従来周知の事項から、当業者が容易に発明をすることができたものであるから、特許法第２９条第２項の規定により、特許を受けることができない。
　よって、請求項１、２、６、７、９、１０に係る特許は、特許法第２９条第２項の規定に違反してされたものであり、取り消すべきものである。
（２）請求項１０に係る発明は、発明の詳細な説明に記載されたものではなく、発明が明確でもないから、請求項１０に係る特許は、特許法第３６条第６項第１号及び第２号に規定する要件を満たしていない出願についてされたものであり、取り消すべきものである。
４．当審の判断
（１）取消理由通知に記載した取消理由について
ア　訂正後の請求項１−１０に係る発明
　上記訂正請求により訂正された訂正後の請求項１−１０に係る発明（以下「本件発明１」等という）は、その特許請求の範囲の請求項１−１０に記載された事項により特定される以下のとおりのものである。
「【請求項１】
（削除）
【請求項２】
（削除）
【請求項３】
　スラブの進行経路上に提供される装置ボディと、
　前記装置ボディに結合され、前記スラブの上下面のうち少なくとも一面に酸素を噴射して面スカーフィングするように備えられる上下面処理ユニットと、
　前記装置ボディに結合され、前記スラブの両側面のうち少なくとも一面に酸素を噴射して面スカーフィングするように備えられる側面処理ユニットと、
　を含み、
　前記上下面処理ユニット及び側面処理ユニットのうち少なくとも１つは、前記スラブの角に集中するように酸素を噴射して前記スラブの角をスカーフィングするように備えられ、
　前記上下面処理ユニットは、
　前記装置ボディの上部又は下部に結合され、内部に中空が形成された上下面部材と、
　前記上下面部材の中央部に連結される低圧ガスラインと、
　前記上下面部材の両端部に連結される高圧ガスラインと、
　前記上下面部材の内部中空を、前記上下面部材の中央部及び両端部に区分されるセクターで隔離させ、隔離された間隔を調整するように備えられる稼働隔離部材と、
　を含み、
　前記側面処理ユニットは、
　前記装置ボディに結合される側面部材と
、
　前記側面部材の中央部に形成される側面中央ホールと、
　前記側面部材の両端部に位置し、前記側面中央ホールよりも高圧の酸素を噴射するように備えられる側面エッジホールと、
　を含み、
　前記側面エッジホールは、前記側面部材の中央部から両端部方向に行くにつれてホールの大きさが大きくなる形状に形成されたことを特徴とする、スカーフィング装置。
【請求項４】
　前記側面エッジホールは、台形状に形成され、前記台形状において傾斜部分は、前記スラブに隣接するように位置することを特徴とする、請求項３に記載のスカーフィング装置。
【請求項５】
　スラブの進行経路上に提供される装置ボディと、
　前記装置ボディに結合され、前記スラブの上下面のうち少なくとも一面に酸素を噴射して面スカーフィングするように備えられる上下面処理ユニットと、
　前記装置ボディに結合され、前記スラブの両側面のうち少なくとも一面に酸素を噴射して面スカーフィングするように備えられる側面処理ユニットと、
　を含み、
　前記上下面処理ユニット及び側面処理ユニットのうち少なくとも１つは、前記スラブの角に集中するように酸素を噴射して前記スラブの角をスカーフィングするように備えられ、
　前記上下面処理ユニットは、
　前記装置ボディの上部又は下部に結合され、内部に中空が形成された上下面部材と、
　前記上下面部材の中央部に連結される低圧ガスラインと、
　前記上下面部材の両端部に連結される高圧ガスラインと、
　前記上下面部材の内部中空を、前記上下面部材の中央部及び両端部に区分されるセクターで隔離させ、隔離された間隔を調整するように備えられる稼働隔離部材と、
　を含み、
　前記側面処理ユニットは、
　前記装置ボディに結合される側面部材と、
　前記側面部材の中央部に形成される側面中央ホールと、
　前記側面部材の両端部に位置し、前記側面中央ホールよりも高圧の酸素を噴射するように備えられる側面エッジホールと、
　を含み、
　前記側面処理ユニットは、
　前記側面部材の両端部に結合される補助ノズル部材をさらに含む、スカーフィング装置。
【請求項６】
（削除）
【請求項７】
（削除）
【請求項８】
　スラブの進行経路上に提供される装置ボディと、
　前記装置ボディに結合され、前記スラブの上下面のうち少なくとも一面に酸素を噴射して面スカーフィングするように備えられる上下面処理ユニットと、
　前記装置ボディに結合され、前記スラブの両側面のうち少なくとも一面に酸素を噴射して面スカーフィングするように備えられる側面処理ユニットと、
　を含み、
　前記上下面処理ユニット及び側面処理ユニットのうち少なくとも１つは、前記スラブの角に集中するように酸素を噴射して前記スラブの角をスカーフィングするように備えられ、
　前記上下面処理ユニットは、
　前記装置ボディの上部又は下部に結合され、内部に中空が形成された上下面部材と、
　前記上下面部材の中央部に連結される低圧ガスラインと、
　前記上下面部材の両端部に連結される高圧ガスラインと、
　前記上下面部材の内部中空を、前記上下面部材の中央部及び両端部に区分されるセクターで隔離させ、隔離された間隔を調整するように備えられる稼働隔離部材と、
　を含み、
　前記上下面処理ユニットは、
　前記装置ボディの上部又は下部に結合される上下面部材と、
　前記上下面部材の中央部に形成される上下面中央ホールと、
　前記上下面部材の両端部に位置し、外側に行くにつれてホールの大きさが大きくなる形状に形成され、前記上下面中央ホールよりも高圧の酸素を噴射するように備えられる上下面エッジホールと、
　を含む、スカーフィング装置。
【請求項９】
（削除）
【請求項１０】
（削除）」
イ　引用文献の記載
　取消理由通知において引用した甲第１号証（特開平９−２１０３２０号公報）及び甲第２号証（社団法人日本鉄鋼協会編、「第３版　鉄鋼便覧　第III巻（１）　圧延基礎・鋼板」、丸善株式会社、昭和５５年５月１５日発行、ｐ．１７１−１７２）には、以下の事項が記載されている。（なお、下線部は理解の便のため当審で付与した）
（ア）甲第１号証
ａ　「【００１０】
【発明の実施の形態】本発明の一実施例について、図１〜図２により詳細に説明する。なお、図１は前記した幅広の鋼材の溶削を示す正面図であり、この
鋼材の周囲をトーチでクローズし溶削を行うときの配置を示した
【００１１】図において、
１は鋼材、２は上面トーチの１ユニット、３は下面トーチの１ユニット、４及び５は、鋼材の左右側面を溶削するための側面トーチの１ユニット
７は図２に示す、トーチヘッド６に接する鋼材上面に位置するマニホールドで、８はマニホールド７を、水平方向に貫通するように設けられた溶削酸素のシリンダ
７′、８′は、鋼材１を挟み、鋼材下面に位置するマニホールド及びシリンダであり、逆方向に配置されているが、前記の上面のものと同じ構造
【００１２】
９は鋼材面部を溶削するためシリンダ８に設けた中央の溶削酸素の部屋
角隅部に向けた溶削酸素の部屋１１
【００１３】１２は右方からエア等の圧力で、あらかじめシリンダ８内の所定の位置にセットされるピストン、１３は該ピストン１２を先端に固定しかつ右方から溶削酸素が供給される通路となる中空状の中空ロッド、１４は中空ロッド１３の先端部側に刻設された複数個の酸素供給用の孔、１５は鋼材一端へ向けた溶削酸素の通過する追従側の部屋である。
【００１４】１１′、
１３′は基準側及び面部に溶削酸素を供給する供給孔
【００１５】次に図２において、２６は溶削装置を構成する下部ブロック、２７は上部ブロックであり、２８は鋼材１と接するシューである。２９は上下部ブロック間にてスリット状に開口した溶削酸素口であり、実線で示す経路で、マニホールド７の溶削酸素のシリンダ８を介し、溶削酸素が供給される。３０は下部ブロック２６から燃料ガスが噴出される溶削酸素口と平行に複数個の孔で並べられた下部燃料ガスの噴出孔であり、実線で示す経路でマニホールド７の溶削酸素のシリンダと並んだ燃料ガスのシリンダを介し、供給される。
【００１６】３１、３２、３３は、それぞれ複数個の孔よりなる、上部燃料ガス孔、予熱用酸素孔及び付加ガス用の燃料ガス孔で、マニホールド７のシリンダ、トーチヘッド６、上部ブロック２７を介してそれぞれ燃料ガスと酸素及び燃料ガスが、実線で示す経路で供給される。いずれも、前記下部燃料ガスと同様のシリンダ構造を用いるが、図面が輻湊するため図示及び説明は省略する。
【００１７】次に本発明の作動について説明する。鋼材の溶削時には、あらかじめ鋼材の幅寸法に基づき、まず基準側を鋼材の一端に合わせてから、
ホットスカーフ機の制御機構を用いて、シリンダ内の各ピストンを動かし、図１のピストン位置に、それぞれのピストンをセットする。
上面、下面及び左右側面のトーチを同時に鋼材に圧着し、クローズの状態を保ち、供給孔１１′、１４及び１３′を介して基準側、追従側及び面部の各部屋に溶削酸素を供給して溶削を行う
【００１８】
溶削酸素は、シリンダ８の基準側の部屋１１と、追従側の部屋１５からは高い圧力
中央の平面部からは通常の圧力
これらの圧力差で溶削効果に差が現われ
ｂ　「【００２０】また、図１の１のような鋼材では、幅寸法に対して厚さ寸法が小さいので、鋼材の両側面は、全体に冷却されている。しかし、上面及び下面のように熱の不均一が見られないので、
トーチ４、５には、平面部より高い圧力の溶削酸素を供給し、溶削
【００２１】
鋼材の幅寸法に変更があったときは、追従側のピストン位置を調整
制御機構を介して、中空ロッド１３を左右に移動してピストン１２を適正位置にセット
【００２２】なお、ブルーム材のような厚み方向に厚さのある鋼材に対しては、
左右両側面にも、前記のようなシリンダを用いて、熱の不均一に対応するよう溶削酸素の圧力差を設ける構造
ｃ　「【００２４】
【発明の効果】本発明は以上のように、溶削される鋼材の幅寸法の変化に対応し、
冷却された角隅部の溶削効果をあげるために、
溶削酸素の供給圧力に変化を持たせる
ｄ　引用発明
　甲第１号証の摘記事項ａないしｃに、技術常識を勘案すると、甲第１号証には以下の発明が記載されていると認められる。
　「鋼材１の上面を溶削する上面トーチ２、及び、鋼材上面に位置して溶削酸素のシリンダ８が設けられたマニホールド７を含み、所定の圧力で供給される溶削酸素によって鋼材の上面を溶削する構成と、鋼材１の下面を溶削する下面トーチ３、及び、鋼材下面に位置して溶削酸素のシリンダ８′が設けられたマニホールド７′を含み、所定の圧力で供給される溶削酸素によって鋼材の下面を溶削する構成と、
　鋼材１の側面を溶削する側面トーチ４、５を含み、所定の圧力で供給される溶削酸素によって鋼材の側面を溶削する構成と、
　を含み、
　鋼材の上面を溶削する構成、鋼材の下面を溶削する構成、及び、鋼材の側面を溶削する構成において、中央の面部に対して角隅部に高い圧力の溶削酸素を供給して角隅部の溶削効果を上げるように備えられ、
　鋼材の上面を溶削する構成、及び、鋼材の下面を溶削する構成は、
　水平方向に貫通する溶削酸素のシリンダ８、８′が設けられたマニホールド７、７′と、
　中央の部屋に溶削酸素を供給する供給孔１３′と、
　基準側の部屋及び追従側の部屋に中央の部屋に対して高い圧力の溶削酸素を供給する供給孔１１′、１４と、
　シリンダ８、８′を鋼材面部を溶削するための中央の部屋、中央の部屋と比較して高い圧力の酸素が供給され角隅部と対応する基準側の部屋及び追従側の部屋の３つに区分し、中空ロッド１３の先端に固定されたピストン１２を動かして位置を変えることで鋼材幅の変化に即応するための構成と、
　を含み、
　鋼材の側面を溶削する構成は、
　側面トーチ４、５と、
　溶削酸素が供給される構成と、
　を含む溶削装置。」（以下「甲１発明」という）
（イ）甲第２号証
ａ　「ａ．ホットスカーファ
　（ｉ）ホットスカーファの目的，特徴，原理
（１）　目的　鋼塊の表面にはへげきず，割れきず，表層介在物などの有害な欠陥があり，・・・ホットスカーファを設置してこれに対処している．・・・
（２）　特徴　ホットスカーファの特徴を次に示す．
　（イ）　
熱間で４面同時に溶削を行なう
・・・
　（ハ）　
多連ノズルで溶削
・・・
・・・全面溶削ではあるがノズル単位に溶削量をコントロールする技術や，熱間スポットスカーファの導入などがはかられつつある．」（１７１ページ右欄１０−３８行）
ｂ　「（ｉｉ）　スカーファの構造　ホットスカーファは一般的には，剪断機の前方に配置されていて，その構成は，スカーファ本体，前後テーブル，燃料および酸素供給装置，スラグ除去用高圧水装置，スケールピット，除塵装置，運転操作および制御室，整備室よりなっている．以下にそれぞれの要点を記す．
（１）　
スカーファ本体　本体は図５・１２１に示すように左右一対の支柱と，これを連結する上下クロスメンバより構成され台車の上に組み立てられており圧延ラインに出入りできる．スカーフィングノズルはマニホールドに取り付けられていて，上下の水平ノズルはホリゾンタルスライドシリンダを介して位置決めされ，左右の垂直ノズルはバーチカルスライドシリンダで位置決めされる．
ｃ　「（３）　燃料および酸素供給装置　瞬間的に多量の燃料および酸素を使用すること，しかも圧力の変動が溶削面の性状に大きく影響することから，ガスの供給設備は十分な容量のものでなければならない．ＬＰＧやＬＮＧなどのように燃料を外部からの供給に頼る場合は大型のストレージタンクが必要である．ＣＯＧや酸素は製鉄所内の発生装置から供給を受けるのが普通であるが途中の配管を小さくするためと，供給量の変動を吸収する目的で分塊工場側に球形ホルダを備えている場合が多い．」（１７２ページ右欄１４−２２行）
ウ　特許法第２９条第２項について
　取消理由の対象となっていた本件発明１、２、６、７、９、１０は、本件訂正により削除されたため、当該発明１、２、６、７、９、１０に対する取消理由は存在しない。
エ　特許法第３６条第６項第１号及び第２号について
　取消理由の対象となっていた本件発明１０は、本件訂正により削除されたため、当該発明１０に対する取消理由は存在しない。
（２）取消理由通知において採用しなかった特許異議申立理由について
ア　特許法第２９条第２項について
（ア）本件発明３について
　本件発明３の特定事項である、「前記側面エッジホールは、前記側面部材の中央部から両端部方向に行くにつれてホールの大きさが大きくなる形状に形成されたこと」は、甲第１−６、８、９号証には開示されておらず、それを示唆する記載もない。
　特許異議申立人は、甲第７号証（特開平９−９４６５６号公報）には、Ｌ型の２つの溶削火口２において、コーナー部の長辺側酸素流出孔３ａ及び短辺側酸素流出孔４ａの孔径を、中央部の長辺側酸素流出孔３ｂ及び短辺側酸素流出孔４ｂの孔径より大きくした点が記載されていると主張する。
　しかし、甲第７号証に記載された酸素流出孔は、中央部からコーナ部にかけて複数設けられており、中央部の孔の孔径よりコーナ部の孔の孔径を大きくしたものであって、コーナー部の孔の径はいずれも同じであるから、本件発明３のように１個の側面エッジホール３３の形状を、中央部から両端部方向に行くにつれてホールの大きさが大きくなるような形状にする技術とは異なるものである。
　そうすると、上記甲第７号証に記載された技術があっても、本件発明３は、甲第１−９号証に記載された発明から、当業者が容易に想到し得たものとはいえないから、本件発明３が進歩性を有しないという特許異議申立人の主張は成立しない。
（イ）本件発明４について
　本件発明４は、本件発明３の発明特定事項をさらに限定したものである。したがって、上記（ア）で説示したのと同様の理由により、本件発明４は、甲第１−９号証に記載された発明から、当業者が容易に想到し得たものとはいえないから、本件発明４が進歩性を有しないという特許異議申立人の主張は成立しない。
（ウ）本件発明５について
　本件発明５の特定事項である、「前記側面処理ユニットは、前記側面部材の両端部に結合される補助ノズル部材をさらに含む」点は、甲第１−５、７−９号証には開示されておらず、それを示唆する記載もない。
　特許異議申立人は、甲第６号証（実願昭６３−１４１２２５号（実開平２−６２２２６号）のマイクロフィルム）には、「上部ユニットの両側に設けられ、溶削酸素口とは独立して形成されたコーナー用溶削酸素孔９と、上部ユニット１の前面に列設され、ヘッド３の上面に設けられた供給手段と接続された予熱酸素孔１４と、上部ユニット１の前面に列設され、ヘッド上面に設けられた供給手段と接続された燃料ガス孔１２とを含む溶削火口。」が記載されていると主張する。
　しかし、甲第６号証に記載された溶削火口は、上部ユニット１の両側に設けられた溶削酸素孔９、上部ユニット１の前面に列設された予熱酸素孔１４及び燃料ガス孔１２を有するものの、本件発明５のように両端部に結合される補助ノズルを有するものではない。
　そうすると、上記甲第６号証に記載された技術があっても、本件発明５は、甲第１−９号証に記載された発明から、当業者が容易に想到し得たものとはいえないから、本件発明５が進歩性を有しないという特許異議申立人の主張は成立しない。
（エ）本件発明８について
　本件発明８の特定事項である、上下面エッジホールが「外側に行くにつれてホールの大きさが大きくなる形状に形成され」たことは、甲第１−６、８、９号証には開示されておらず、それを示唆する記載もない。
　また、上記甲第７号証に記載された酸素流出孔は、中央部からコーナ部にかけて複数設けられており、中央部の孔の孔径よりコーナ部の孔の孔径を大きくしたものであって、コーナー部の孔の径はいずれも同じであるから、本件発明８のように１個の上下面エッジホール２３の形状を、外側に行くにつれてホールの大きさが大きくなるような形状にする技術とは異なるものである。
　そうすると、上記甲第７号証に記載された技術があっても、本件発明８は、甲第１−９号証に記載された発明から、当業者が容易に想到し得たものとはいえないから、本件発明８が進歩性を有しないという特許異議申立人の主張は成立しない。
イ　特許法第３６条第６項第２号について
（ア）　特許異議申立人は、特許異議申立書において、「本件特許発明１は、『前記上下面部材の内部中空を、前記上下面部材の中央部及び両端部に区分されるセクターで隔離させ』ることを発明特定事項としている（発明特定事項Ｅ参照）。しかしながら、後述するように、『セクター』との用語は、本件明細書の記載を参酌しても意味内容は不明確で、また他の発明特定事項と関係を有していなことから、『セクター』の技術的意義は不明確である。」と主張する（１１２ページ３−８行）。
　本件発明１は本件訂正により削除されたが、上記の発明特定事項は、本件発明３、５、８にも記載されているので検討すると、明細書の段落【０１００】には、「上記上下面部材２１の内部中空を、上記上下面部材２１の中央部及び両端部に区分されるセクターで隔離させ」と記載されており、この記載からみて、「上下面部材２１の内部中空の中央部」及び「上下面部材２１の両端部」がそれぞれ「セクター」であることは明確に理解されるから、意味内容も技術的意義も明確であるものと認められる。
（イ）　特許異議申立人は、特許異議申立書において、本件発明５について、「補助ノズル部材は側面部材の両端部に結合されるものと特定されているが、当該補助ノズル部材が、何を供給するノズルなのか規定されておらず、技術的意義は不明確である。」と主張する（１１２ページ１６−１８行）。
　しかし、明細書の段落【００９３】−【００９５】には、「補助ノズル部材３４」が「上記スラブの角Ｍ３部分が上記スラブＭの中央部分よりもより多くの流量の酸素又はより高い圧力の酸素で供給するため」のものであることが記載されており、当該記載を参酌すれば、当該補助ノズル部材の技術的意義は明確であるものと認められる。
（ウ）　特許異議申立人は、特許異議申立書において、本件発明８について、「前記装置ボディの上部又は下部に結合される上下面部材」の「上下面部材」が前記したものと同じか否か不明である旨主張する（１１３ページ３−９行参照）。
　しかし、明細書及び図面の記載を参酌すれば、特に「前記上下面部材」という表現にしなくとも、前記したものと同じことは自明である。
（エ）　また、特許異議申立人は、本件発明９及び１０の記載不備を主張していたが、対象となる本件発明９及び１０は本件訂正により削除された。
（オ）　以上のことから、本件発明３−５、８は、特許法第３６条第６項第２号に規定する要件を満たしており、特許異議申立人の主張を採用することはできない。
ウ　特許法第３６条第６項第１号について
　特許異議申立人は、特許異議申立書において、「本件特許発明１は、稼働隔離部材について、上下面部材の内部中空を、上下面部材の中央部及び両端部に区分されるセクターで隔離させるものとして特定されている・・・一方、本件明細書の発明の詳細な説明の記載には、・・・『セクター』なるものがどのようなものか、実質的には本件明細書に記載されていない。よって、本件特許発明１は、発明の詳細な説明に記載されていない発明である。」と主張する（１１５ページ２−１０行）。
　本件発明１は本件訂正により削除されたが、上記の発明特定事項は、本件発明３、５、８にも記載されているので検討すると、上記イでも説示したとおり、「セクター」の意味内容及び技術的意義は明確であり、明細書の段落【０１００】にも「上記上下面部材２１の内部中空を、上記上下面部材２１の中央部及び両端部に区分されるセクター」と記載されていることから、「セクター」は本件明細書に記載されているものと認められる。
　よって、特許異議申立人の上記主張は失当である。
５．むすび
　以上のとおり、取消理由通知に記載した取消理由及び特許異議申立書に記載した特許異議申立理由によっては、本件発明３−５、８に係る特許を取り消すことはできない。さらに、他に本件発明３−５、８に係る特許を取り消すべき理由を発見しない。
　本件発明１、２、６、７、９、１０は、上記のとおり本件訂正により削除された。これにより、特許異議申立人による本件発明１、２、６、７、９、１０に対する特許異議の申立ては、申立ての対象が存在しないことになったため、特許法第１２０条の８第１項で準用する同法第１３５条の規定により却下する。
　よって、結論のとおり決定する。
【異議決定日】
平成３１年１月２９日（２０１９．１．２９）
【訂正の要旨】
審決（決定）の【理由】欄参照。
（５７）【特許請求の範囲】
　【請求項１】
（削除）
　【請求項２】
（削除）
　【請求項３】
　
スラブの進行経路上に提供される装置ボディと、
　
前記装置ボディに結合され、前記スラブの上下面のうち少なくとも一面に酸素を噴射して面スカーフィングするように備えられる上下面処理ユニットと、
　
前記装置ボディに結合され、前記スラブの両側面のうち少なくとも一面に酸素を噴射して面スカーフィングするように備えられる側面処理ユニットと、
　
を含み、
　
前記上下面処理ユニット及び側面処理ユニットのうち少なくとも１つは、前記スラブの角に集中するように酸素を噴射して前記スラブの角をスカーフィングするように備えられ、
　
前記上下面処理ユニットは、
　
前記装置ボディの上部又は下部に結合され、内部に中空が形成された上下面部材と、
　
前記上下面部材の中央部に連結される低圧ガスラインと、
　
前記上下面部材の両端部に連結される高圧ガスラインと、
　
前記上下面部材の内部中空を、前記上下面部材の中央部及び両端部に区分されるセクターで隔離させ、隔離された間隔を調整するように備えられる稼働隔離部材と、
　
を含み、
　
前記側面処理ユニットは、
　
前記装置ボディに結合される側面部材と、
　
前記側面部材の中央部に形成される側面中央ホールと、
　
前記側面部材の両端部に位置し、前記側面中央ホールよりも高圧の酸素を噴射するように備えられる側面エッジホールと、
　
を含み、
　前記側面エッジホールは、前記側面部材の中央部から両端部方向に行くにつれてホールの大きさが大きくなる形状に形成されたことを特徴とする
、ス
　【請求項４】
　前記側面エッジホールは、台形状に形成され、前記台形状において傾斜部分は、前記スラブに隣接するように位置することを特徴とする、請求項３に記載のスカーフィング装置。
　【請求項５】
　
スラブの進行経路上に提供される装置ボディと、
　
前記装置ボディに結合され、前記スラブの上下面のうち少なくとも一面に酸素を噴射して面スカーフィングするように備えられる上下面処理ユニットと、
　
前記装置ボディに結合され、前記スラブの両側面のうち少なくとも一面に酸素を噴射して面スカーフィングするように備えられる側面処理ユニットと、
　
を含み、
　
前記上下面処理ユニット及び側面処理ユニットのうち少なくとも１つは、前記スラブの角に集中するように酸素を噴射して前記スラブの角をスカーフィングするように備えられ、
　
前記上下面処理ユニットは、
　
前記装置ボディの上部又は下部に結合され、内部に中空が形成された上下面部材と、
　
前記上下面部材の中央部に連結される低圧ガスラインと、
　
前記上下面部材の両端部に連結される高圧ガスラインと、
　
前記上下面部材の内部中空を、前記上下面部材の中央部及び両端部に区分されるセクターで隔離させ、隔離された間隔を調整するように備えられる稼働隔離部材と、
　
を含み、
　
前記側面処理ユニットは、
　
前記装置ボディに結合される側面部材と、
　
前記側面部材の中央部に形成される側面中央ホールと、
　
前記側面部材の両端部に位置し、前記側面中央ホールよりも高圧の酸素を噴射するように備えられる側面エッジホールと、
　
を含み、
　前記側面処理ユニットは、
　前記側面部材の両端部に結合される補助ノズル部材をさらに含む
、ス
　【請求項６】
（削除）
　【請求項７】
（削除）
　【請求項８】
　
スラブの進行経路上に提供される装置ボディと、
　
前記装置ボディに結合され、前記スラブの上下面のうち少なくとも一面に酸素を噴射して面スカーフィングするように備えられる上下面処理ユニットと、
　
前記装置ボディに結合され、前記スラブの両側面のうち少なくとも一面に酸素を噴射して面スカーフィングするように備えられる側面処理ユニットと、
　
を含み、
　
前記上下面処理ユニット及び側面処理ユニットのうち少なくとも１つは、前記スラブの角に集中するように酸素を噴射して前記スラブの角をスカーフィングするように備えられ、
　
前記上下面処理ユニットは、
　
前記装置ボディの上部又は下部に結合され、内部に中空が形成された上下面部材と、
　
前記上下面部材の中央部に連結される低圧ガスラインと、
　
前記上下面部材の両端部に連結される高圧ガスラインと、
　
前記上下面部材の内部中空を、前記上下面部材の中央部及び両端部に区分されるセクターで隔離させ、隔離された間隔を調整するように備えられる稼働隔離部材と、
　
を含み、
　前記上下面処理ユニットは、
　前記装置ボディの上部又は下部に結合される上下面部材と、
　前記上下面部材の中央部に形成される上下面中央ホールと、
　前記上下面部材の両端部に位置し、外側に行くにつれてホールの大きさが大きくなる形状に形成され、前記上下面中央ホールよりも高圧の酸素を噴射するように備えられる上下面エッジホールと、
　を含む
、ス
　【請求項９】
（削除）
　【請求項１０】
（削除）